(57)【要約】【課題】  ロックを解除した後、即座に所望の機能を実行させることが可能な電子機器を提供する。【解決手段】  電子機器は、表示部と、所定の機能を処理するための入力を受け付ける入力部と、入力部により受け付けた入力を記憶する記憶部と、前記表示部の表示を制御するとともに、前記入力部により受け付けた入力に関する所定の機能を処理する制御部と、を備え、前記制御部は、前記所定の機能の処理が制限されているときに、前記所定の機能を処理するための入力を受け付け、その後に前記所定の機能の処理の制限を解除するためのパスワードが正しく入力された場合、記憶された入力に従って所定の機能を実行し、前記表示部に所定の機能画面を表示する。【選択図】  図５
2013074379.tif 000002
【特許請求の範囲】
【請求項１】
表示部と、
所定の機能を処理するための入力を受け付ける入力部と、
入力部により受け付けた入力を記憶する記憶部と、
前記表示部の表示を制御するとともに、前記入力部により受け付けた入力に関する所定の機能を処理する制御部と、を備え、
前記制御部は、
前記所定の機能の処理が制限されているときに、前記所定の機能を処理するための入力を受け付け、その後に前記所定の機能の処理の制限を解除するためのパスワードが正しく入力された場合、
記憶された入力に従って前記所定の機能を実行し、前記表示部に前記所定の機能を表示する電子機器。
【請求項２】
前記入力部は複数のキー入力部であり、
前記所定の機能は、前記複数のキー入力部のうちのキーに表示された所定の文字と紐付けられている請求項１記載の電子機器。
【請求項３】
前記所定の機能の処理が制限されているときに、
前記所定の文字が前記パスワードの１文字目として入力された後に削除され、その後、前記パスワードが正しく入力された場合、
記憶された入力に従って所定の機能を実行し、前記表示部に所定の機能を表示する請求項２記載の電子機器。
【請求項４】
前記入力部は前記表示部上に位置し、接触操作を受け付ける接触受付部であり、
前記所定の機能は、前記表示部に表示された所定のアイコンと紐付けられている請求項１記載の電子機器。
【請求項５】
前記所定の機能の処理が制限されているときに、
前記所定のアイコンが表示された前記表示部上の前記接触受付部に対して受け付けた接触時間が、
所定の時間以内である場合、その後で前記パスワードが正しく入力されたときは、記憶された入力に従って所定の機能を実行し、
所定の時間を超える場合、その後で前記パスワードが正しく入力されたときは、アイコンを移動可能にする請求項４記載の電子機器。
【発明の詳細な説明】
【技術分野】
【０００１】
本発明は電子機器に関し、特に、携帯性を有し、キー入力により情報を入力する電子機器に関する。
【背景技術】
【０００２】
キー入力により情報を入力する電子機器、例えば携帯無線端末などでは、誤ってキーに触れることによる誤操作、または、他人の手に渡って使用されることを防ぐために、キーロックやダイアルロックなどのダイアル操作防止機能を備えているものが多い。
【０００３】
例えば、特許文献１には、パスワード（暗証番号）を入力することでダイアルロックをかけたり、解除する携帯無線端末の構成が開示されている。
【先行技術文献】
【特許文献】
【０００４】
【特許文献１】特開平１０−１６１９５７公報
【発明の概要】
【発明が解決しようとする課題】
【０００５】
しかし、ユーザがロック機能を設定したことを忘れていたときに所定の機能を立ち上げようとしてキーを押した場合、パスワード入力を促す画面が出てくることになる。そのため、ユーザはロックを解除させた後に、所定の機能を立ち上げるため、キーを再度押す必要があった。
【０００６】
本発明は上記のような問題点を解消するためになされたもので、ロックを解除した後、即座に所望の機能を実行させることが可能な電子機器を提供することを目的とする。
【課題を解決するための手段】
【０００７】
本発明の一実施形態にかかる電子機器は、表示部と、所定の機能を処理するための入力を受け付ける入力部と、入力部により受け付けた入力を記憶する記憶部と、前記表示部の表示を制御するとともに、前記入力部により受け付けた入力に関する所定の機能を処理する制御部と、を備え、
前記制御部は、前記所定の機能の処理が制限されているときに、前記所定の機能を処理するための入力を受け付け、その後に前記所定の機能の処理の制限を解除するためのパスワードが正しく入力された場合、記憶された入力に従って所定の機能を実行し、前記表示部に所定の機能画面を表示する。
【発明の効果】
【０００８】
本発明にかかる電子機器は、ロックを解除した後、即座に所望の機能を実行させることが可能である。
【図面の簡単な説明】
【０００９】
【図１】本発明に係る携帯無線端末を開いた状態の外観形状を示す図である。
【図２】本発明に係る携帯無線端末の電気的な構成を示すブロック図である。
【図３】機能実行コードの設定方法を説明する図である。
【図４】実施の形態１に係るロック機能解除動作の一例を説明するフローチャートである。
【図５】実施の形態１に係るロック機能解除動作の具体例の一例を説明する図である。
【図６】実施の形態１に係るロック機能解除動作の一例を説明するフローチャートである。
【図７】実施の形態１に係るロック機能解除動作の具体例の一例を説明する図である。
【図８】本発明に係る携帯無線端末の外観形状を示す図である。
【図９】実施の形態２に係るロック機能解除動作の一例を説明するフローチャートである。
【図１０】実施の形態２に係るロック機能解除動作の具体例の一例を説明する図である。
【図１１】実施の形態２に係るロック機能解除動作の一例を説明するフローチャートである。
【図１２】実施の形態２に係るロック機能解除動作の具体例の一例を説明する図である。
【発明を実施するための形態】
【００１０】
本発明の一実施形態にかかる電子機器を説明する。
【００１１】
本発明の一実施形態にかかる電子機器とは、例えば、パーソナルコンピュータ、携帯電話機、ＰＨＳ（Personal Handy-phone System）、ＰＤＡ（Personal Digital Assistant
）、カーナビゲーションシステム等が挙げられる。
【００１２】
［実施の形態１］
以下、本発明の実施の形態１として、本発明に係る電子機器を折り畳み式の携帯無線端末に適用した例について説明するが、本発明の電子機器はこれに限定されるものではない。
【００１３】
図１は、本発明を適用した折り畳み式の携帯無線端末１００の外観形状を示す図であり、図１は、携帯無線端末１００を開いた状態の図である。
【００１４】
携帯無線端末１００は、図１に示すように、第１筐体である表示部側筐体１０と、第２筐体である操作部側筐体２０とを備えている。表示部側筐体１０と操作部側筐体２０とは、例えば、図示されないヒンジ部を介して連結されており、携帯無線端末１００を開状態および閉状態に変更可能に構成されている。なお、携帯無線端末１００を開状態とした場合、操作部側筐体２０の側を下側、その反対を上側と呼称する。
【００１５】
すなわち、ヒンジ部は、表示部側筐体１０と操作部側筐体２０とを、任意の角度で開閉可能に連結している。ここで、閉状態とは、表示部側筐体１０と操作部側筐体２０とが互いに重なるように配置された状態であり、開状態（図１）とは、表示部側筐体１０と操作部側筐体２０とが互いに重ならないように配置された状態を指す。
【００１６】
操作部側筐体２０は、入力部としてキー操作部１２を有している。ここで、キー操作部１２は、電話番号の数字やメール等の文字等を入力するためのテンキー等の入力操作キー２２、クリアーキー２３１や、電源キー２３２など、各種機能を作動させるための機能設定操作キー２３、各種操作における決定や上下左右方向のスクロール等を行う決定操作キー２４などを有している。
【００１７】
表示部側筐体１０は、携帯無線端末１００を開くことで露出する、表示部としてのディスプレイ１１（表示部）を有している。また、表示部側筐体１０には、音声出力部としてのスピーカ１８が格納されており、スピーカ１８は、ディスプレイ１１が設けられた面の
上側端部近傍に設けられている。また、操作部側筐体２０には、音声入力部としてのマイク１９や格納されており、マイク１９は、操作キー群２５が設けられた面の下側端部近傍に設けられている。
【００１８】
＜電気的構成＞
図２は携帯無線端末１００の電気的な構成を示すブロック図である。図２に示されるように、携帯無線端末１００は、ディスプレイ１１、キー操作部１２、音声出力部（スピーカ）１８、音声入力部（マイク）１９、制御部３０および無線通信部３１を備えている。なお、制御部３０および無線通信部３１は、操作部側筐体２０内に収められている。
【００１９】
制御部３０は、ＣＰＵ３０ａおよび記憶部３０ｂ等を備えており、キー操作部１２の複数のキーによるキー入力による情報を処理するとともに、携帯無線端末１００の他の構成要素を制御することによって、携帯無線端末１００の動作を統括的に管理する。
【００２０】
記憶部３０ｂは、ＲＯＭおよびＲＡＭ等で構成されている。記憶部３０ｂは、キー操作部１２などの入力部により受付けた入力を記憶する。後述するが、例えば、パスワード入力画面の表示の直前に、数字キーなどが入力されていた場合、その数字キーが入力されたことを記憶する。
【００２１】
制御部３０の各種機能は、ＣＰＵ３０ａが記憶部３０ｂ内の各種プログラムを実行することによって実現される。
【００２２】
無線通信部３１は、携帯無線端末１００とは別の携帯無線端末や、インターネットに接続されたＷｅｂサーバ等の通信装置からの無線信号をアンテナ３１ａで受信し、受信信号に対して増幅処理やダウンコンバートを行って制御部３０に出力する。また無線通信部３１は、制御部３０で生成された送信信号に対してアップコンバートや増幅処理を行って、アンテナ３１ａを通じて処理後の送信信号を、携帯無線端末１００とは別の携帯無線端末や、インターネットに接続された通信装置に対して無線送信する。
【００２３】
音声入力部１９は、外部から入力される音声を音声データに変換して制御部３０に出力する。音声出力部１８は、制御部３０からの音声データを音声に変換して外部に出力する。
【００２４】
また、制御部３０はキー制御部３０ｃを有し、ダイアル操作防止機能（以後、ロック機能と呼称）が実行されている状況（ロックしている状況）では、所定のキー以外はキー操作を受け付けない構成となっている。
【００２５】
ディスプレイ１１は、制御部３０によって制御されることによって、文字、記号、図形などの各種情報を表示する。
【００２６】
なお、上述した携帯無線端末１００においては、１つのディスプレイ１１のみを有する構成として示したが、例えば表示部側筐体１０のディスプレイ１１が設けられた面とは反対側の面にディスプレイを有する構成であっても良い。また、キー操作部１２は、押しボタン式のキーにより構成されるものとして説明したが、タッチパネル機能により実現されるタッチキー（ソフトウエアキー）により構成しても良い。その場合、１つのディスプレイを有する構成において、当該ディスプレイ上にタッチキーを表示する構成や、複数のディスプレイを有する構成において、１つのディスプレイにタッチキーを表示する構成を採ることができる。
【００２７】
＜機能実行コードの設定＞
以下、図３を用いて、機能実行コードの設定方法について説明する。
【００２８】
図３（ａ）には、所定のキー操作を経てディスプレイ１１に表示された、機能画面選択ウインドウを示している。機能画面選択ウインドウ内には、「電話」を選択する項目１３、「メール」を選択する項目１４などが表示されているが、これは一例に過ぎない。
【００２９】
図３（ａ）では、「メール」を選択する例を示しており、項目１４を選択して確定すると、次には、図３（ｂ）に示すようなコード番号設定ウインドウが表示される。コード番号設定ウインドウには、機能画面選択ウインドウで選択した「メール」に対応付けるコード番号を入力する入力欄１５があり、テンキーにより所定の数字を入力する。ここで、コード番号は、例えば０から９までの１桁の数字で設定され、図３（ｂ）では「２」を設定する例を示している。なお、０から９までの１桁の数字で設定する場合は、機能実行コードによって実行させることができる機能は、最大で１０種類となるが、もちろん、２桁の数字で設定するように構成しても良いことは言うまでもない。また、数字に限定されるものではなく、英文字を使用する構成としても良い。
【００３０】
コード番号設定ウインドウでコード番号を設定すると、図３（ｃ）に示すようなコード／画面一覧ウインドウが表示される。コード／画面一覧ウインドウ内には、対応付けが終了した機能画面の名称と、それに対応するコード番号とが示されている。すなわち、コード番号１には「ブラウザ」が対応付けられ、コード番号２には「メール」が対応付けられ、コード番号３にはまだ機能の対応がなされていない。なお、コード番号は続き番号である必要はなく、ユーザの好みや、覚えやすい数字を設定すれば良い。
【００３１】
以上説明した機能実行コードの設定手順を経ることで、所望の機能画面とコード番号とを対応付けることができ、使い勝手の良い設定が可能となる。
【００３２】
＜動作＞
次に、図４に示すフローチャートを用いて、実施の形態１に係るロック機能解除動作について説明する。
【００３３】
図２に示した制御部３０においてロック機能が実行されると（ステップＳ１）、制御部３０は入力されるのを待つことになる（ステップＳ２）。なお、ロック機能は、携帯無線端末１００を閉じることで自動的に実行されるように設定することが可能である。
【００３４】
入力がなされたことを検出した場合（ステップＳ２：ＹＥＳ）、図５（ａ）に示すように、パスワード入力画面を表示する（ステップＳ３）。なお、この場合、図３のように設定した「メール」の機能実行コードである「２」が待ち受け画面にて入力されたこととする。
【００３５】
図５（ｂ）に示すようにパスワードが入力された後（ステップＳ４：ＹＥＳ）、制御部３０はパスワードが正しいかどうかを判別する（ステップＳ５）。パスワードが正しくなければ（ステップＳ５：ＮＯ）ロック機能を維持し（ステップＳ６）、ステップＳ２に戻る。また、パスワードが正しければ（ステップＳ５：ＹＥＳ）ロック機能を解除する（ステップＳ７）。なお、図５（ｂ）では入力したパスワードが数字で記載されているが、実際はプライバシーの観点から「＊＊＊＊」などで表示される。
【００３６】
パスワードが入力される前に所定の文字（本例では、数字「２」）が入力されていたかどうか判別する（ステップＳ８）。所定の文字が入力されていなかった場合は（ステップＳ８：ＮＯ）、フローを終了する。所定の文字が入力されていた場合は（ステップＳ８：ＹＥＳ）、所定の文字に関連する機能を実行する（ステップＳ９）。この場合、入力した
数字「２」に紐づけられた「メール」機能に関する画面を図５（ｃ）に示すように表示する。
【００３７】
また、携帯無線端末によっては、待ち受け画面が表示されているときに、ユーザが文字を入力することによってパスワード入力画面が表示されたとき、パスワード入力画面の表示とともに、ユーザが入力した文字がパスワードの１文字目として入力されてしまう場合がある。そのような場合の具体例を図６および７を用いて以下に説明する。
【００３８】
図６におけるステップＳ１〜Ｓ３は図４の場合と同様であるため省略する。図６の場合、待ち受け画面にてユーザが数字キー「２」を押したとき、表示されたパスワード入力画面には１文字目に、図７（ａ）に示すようにユーザが入力した機能実行コードである数字「２」が入力されている（ステップＳ１０）。なお、実際はプライバシーの観点から「＊」などで表示される。
【００３９】
パスワード入力画面において数字「２」が入力されており、さらにユーザはパスワードの１文字目が「２」でなかった場合、図７（ｂ）および図６のステップＳ１０に示すように、ユーザは入力された１文字目を削除するはずである。そのため、本例ではステップＳ１１において、パスワード入力画面から数字が削除されたかどうかを判別する。
【００４０】
もし、図７（ｃ）に示すように表示するように、削除することなく、そのままパスワードが入力された場合（ステップＳ１１：ＮＯ、ステップＳ１２：ＹＥＳ）、パスワードが正しいかどうかを判別する（ステップＳ１３）。パスワードが正しくなければ（ステップＳ１３：ＮＯ）、ロック機能を維持する（ステップＳ１４）。一方、パスワードが正しければ（ステップＳ１３：ＹＥＳ）、ユーザはパスワードを入力するために「２」を入力したことが想定されるため、ロック機能を解除して終了する（ステップＳ１５）。
【００４１】
パスワード入力画面から数字が削除された場合（ステップＳ１１：ＹＥＳ）、その後パスワードが入力され（ステップＳ１６：ＹＥＳ）、パスワードが正しい場合（ステップＳ１７：ＹＥＳ）、ロック機能を解除する（ステップＳ１８）。
【００４２】
ロック機能を解除した後、初めに入力された数字がパスワードの１文字目と異なるかどうかを判別する（ステップＳ１９）。違う場合（ステップＳ１９：ＹＥＳ）、所定の文字に関連する機能を実行する（ステップＳ９）。この場合、入力した数字「２」に紐づけられた「メール」機能に関する画面を図７（ｄ）に示すように表示する（ステップＳ２０）。
【００４３】
一方、初めに入力された数字がパスワードの１文字目と同じ場合（ステップＳ１９：ＮＯ）、ステップＳ１１にてパスワード入力画面から数字が削除されたのは、ユーザの操作間違いであった可能性が高いため、そのまま処理を終了する。
【００４４】
以上説明したように、ユーザがロック機能を設定したことを忘れていたときに、所定の機能を立ち上げようとして、キーを押したとき、パスワード入力を促す画面が出てきた場合、パスワードを入力するだけで、所定の機能を立ち上げることができる。このため、ユーザにとって使い勝手が良くなるという効果が得られる。
【００４５】
上記例では、１つの数字キーを押したときにパスワード入力画面の表示が立ち上がったが、例えば、文字キーとは別のキー（たとえば、メニューキーなど）を押したうえで、文字キーを押したときに初めてパスワード入力画面の表示画面が立ち上がるように、２つ以上のキーを押す場合も適用することができる。
【００４６】
なお、実施の形態１では、図３に示すように、ユーザが機能実行コードを設定したが、あらかじめ所定の機能に割り当てられた専用のキーを端末が持っていてもよい。また、後述の実施の形態２にて説明する内容と同じように、キーの「短押し」と「長押し」を区別して、長押しに所定の機能が割り当てられていてもよい。
【００４７】
［実施の形態２］
以上説明した実施の形態１においては、折り畳み式の携帯無線端末１００を例に採り、ハードウエアとしてのキーによりパスワードやコード番号を入力する構成を示したが、少なくとも１つのタッチパネルを有し、そこに表示されたソフトウエアキーによりパスワードやコード番号を入力する携帯無線端末に対しても適用可能であることは言うまでもない。
【００４８】
また、タッチパネルを有する携帯無線端末においては、パスワードやコード番号を入力する代わりに、指等の指示体による所定のタッチ操作をもってロックを解除する構成を採っても良い。
【００４９】
図８には、タッチパネルを有する携帯無線端末の一例の外観形状を示す。図８に示す携帯無線端末２００は、筐体４０に設けたディスプレイ４１が常に露出した状態の端末であり、図８はそれをディスプレイ４１側から見た平面図である。
【００５０】
筐体４０の、ディスプレイ４１が設けられた側の面内には、音声入力部としてのマイク４３や音声出力部としてのスピーカ４４が格納されており、マイク４３およびスピーカ４４は、ディスプレイ４１が露出する面の長手方向の両端部近傍に設けられている。
【００５１】
なお、ディスプレイ４１には、タッチパネルにより実現される複数のキーが表示される構成となっている。図８の例では、１つ前の画面に戻るバックキー４２１、各画面に対応したオプションメニューを表示させるメニューキー４２２およびホーム画面に戻るホームキー４２３を表示している。
【００５２】
接触操作を受け付けるタッチパネルは、ディスプレイ４１上に位置し、ディスプレイ４１の領域にもオーバーラップするように設けられ、ダイヤルキーやアルファベットキーなどをソフトウエアキーとしてディスプレイ４１上で機能させることができる。
【００５３】
なお、ディスプレイ４１上で機能するタッチパネル機能は、筐体４０内に収納された制御部（図示せず）によって制御され、ユーザの指等の指示体による操作は、タッチパネルによるタッチパネル機能を介して検出され、制御部に出力される。
【００５４】
このようなタッチパネルを有する携帯無線端末２００において、指等の指示体による所定のタッチ操作によりロックを解除する動作について、図９〜１２を用いて説明する。
【００５５】
制御部３０においてロック機能が実行されると（ステップＳ２１）、制御部３０は接触による入力されるのを待つことになる（ステップＳ２２）。接触による入力がなされたことを検出した場合（ステップＳ２２：ＹＥＳ）、図１０（ａ）に示すように、パスワード入力画面を表示する（ステップＳ２３）。
【００５６】
なお、この場合、待ち受け画面にて接触操作によりメールアイコンが選択されたこととする。
【００５７】
図１０（ｂ）に示すようにパスワードが入力された後（ステップＳ２４：ＹＥＳ）、制御部３０はパスワードが正しいかどうかを判別する（ステップＳ２５）。パスワードが正
しくなければ（ステップＳ２５：ＮＯ）ロック機能を維持し（ステップＳ２６）、ステップＳ２２に戻る。また、パスワードが正しければ（ステップＳ２５：ＹＥＳ）ロック機能を解除する（ステップＳ２７）。
【００５８】
次に、パスワードが入力される前に、所定のアイコンに対して接触操作がなされていたかどうか判別する（ステップＳ２８）。所定のアイコンに対して接触操作がなされていなかった場合は（ステップＳ２８：ＮＯ）、フローを終了する。一方、所定のアイコンに対して接触操作がなされていた場合は（ステップＳ２８：ＹＥＳ）、所定のアイコンに関連する機能を実行する（ステップＳ２９）。この場合、所定のアイコンであるメールアイコンに紐づけられた「メール」機能に関する画面を図１０（ｃ）に示すように表示する。
【００５９】
なお、タッチパネルを有する携帯無線端末では、所定のアイコンに指などが接触してから離れるまでの時間が所定の時間以内か所定の時間を超えるか（短押しか長押しか）を判別するものが知られている。本発明において、例えば、図９におけるステップＳ２８とステップＳ２９との間に、図１１に示すように、接触操作が短押しかそうでないかを判別するステップを入れてもよい（ステップＳ３０）。接触操作が短押しであれば（ステップＳ３０：ＹＥＳ）、フローは図９におけるステップＳ２９に移行する。一方、接触操作が短押しでなく、長押しであれば（ステップＳ３０：ＮＯ）、所定のアイコン、本例では、図１２（ｃ）に示すように、メールアイコンを移動可能にし（ステップＳ３１）、処理を終了する。なお、図１２（ｃ）では、メールアイコンの外枠を点線にして、移動可能であることを示しているが、本発明はこれに限定されない。
【００６０】
また、上記例では、短押しでアイコンの機能を選択、長押しでアイコンの移動をさせることを説明したが、あくまで一例にすぎない。
なお、実施の形態２では、タッチパネルを有する携帯無線端末２００における「短押し」および「長押し」を説明したが、実施の形態１に示す入力操作キー２２を有する携帯無線端末１００において、「短押し」および「長押し」で異なる機能処理が割り当てられている場合も、図１１および１２に示す例を適用してもよい。
【符号の説明】
【００６１】
１１、４１  ディスプレイ
１８、４４  スピーカ
１９、４３  マイク
２２  入力操作キー
３０  制御部
１００、２００  携帯無線端末
【図１】
2013074379.tif 000003
【図２】
2013074379.tif 000004
【図３】
2013074379.tif 000005
【図４】
2013074379.tif 000006
【図５】
2013074379.tif 000007
【図６】
2013074379.tif 000008
【図７】
2013074379.tif 000009
【図８】
2013074379.tif 000010
【図９】
2013074379.tif 000011
【図１０】
2013074379.tif 000012
【図１１】
2013074379.tif 000013
【図１２】
2013074379.tif 000014